(57)【要約】【課題】  外部からの衝撃に対して内部の光学部品の損傷および挿入部の先端部分の大型化を防止する光学アダプタの提供。【解決手段】  光学アダプタ１０は、内視鏡３の挿入部７の先端部８に着脱自在な光学アダプタ１０であって、被検体からの光が入射する方向を反射して変更する反射面３１を有するプリズム１６と、プリズム１６の反射面３１と反射面３１に交差する異なる面３３との角部以外を保持する保持部２３を有するプリズム保持部材と、を備えている。【選択図】図４
2019191424.tif 000002
【特許請求の範囲】
【請求項１】
内視鏡の挿入部の先端部に着脱自在な光学アダプタであって、
被検体からの光が入射する方向を反射して変更する反射面を有するプリズムと、
前記プリズムの前記反射面と前記反射面に交差する異なる面との角部以外を保持する保持部を有するプリズム保持部材と、
を備えたことを特徴とする光学アダプタ。
【請求項２】
前記保持部は、前記異なる面に対向する平面を有していることを特徴とする請求項１に記載の光学アダプタ。
【請求項３】
前記平面が前記異なる面に接触し、
前記保持部と前記異なる面を固定する接着部を有していることを特徴とする請求項２に記載の光学アダプタ。
【請求項４】
前記平面と前記異なる面とが隙間を有して離間し、
前記隙間に充填されて固化する接着部を有していることを特徴とする請求項２に記載の光学アダプタ。
【請求項５】
前記接着部は、弾性接着剤が固化した弾性接着部であることを特徴とする請求項４に記載の光学アダプタ。
【請求項６】
前記プリズムは、前記光が入射する入射面を有し、
前記保持部は、前記入射面と前記異なる面が交差し、前記角部とは異なる角部以外に接触して前記プリズムを保持することを特徴とする請求項１に記載の光学アダプタ。
【請求項７】
前記保持部は、前記角部および前記異なる角部から所定の距離を有して離間していることを特徴とする請求項１に記載の光学アダプタ。
【請求項８】
前記プリズム保持部材は、前記平面が対向する２つの前記保持部が前記プリズムに基端面が当接する先端面から先端側に突出し、
前記先端面と２つの前記平面が交差する部分に前記プリズムの前記基端面と前記異なる面とが交差する角部が接触しないようにする溝部が形成されていることを特徴とする請求項２に記載の光学アダプタ。
【請求項９】
前記溝部は、前記角部に所定の距離を有して対向する位置に形成されていることを特徴とする請求項８に記載の光学アダプタ。
【請求項１０】
前記溝部に充填されて固化する弾性接着部を設けたことを特徴とする請求項９に記載の光学アダプタ。
【請求項１１】
２つの前記保持部を前記反射面よりも先端側で連結する補強部を有していることを特徴とする請求項８に記載の光学アダプタ。
【請求項１２】
請求項１に記載の光学アダプタを備えたことを特徴とする内視鏡。
【請求項１３】
挿入部の先端部に設けられ、被検体からの光が入射する方向を反射して変更する反射面を有するプリズムと、
前記先端部に設けられ、前記プリズムの前記反射面と前記反射面に交差する異なる面との角部以外を保持する保持部を有するプリズム保持部材と、
を備えたことを特徴とする内視鏡。
【発明の詳細な説明】
【技術分野】
【０００１】
本発明は、挿入部の先端部に着脱自在な光学アダプタおよび、この光学アダプタを備えた内視鏡に関する。
【背景技術】
【０００２】
従来から、内視鏡は、工業分野および医療分野において広く利用されている。内視鏡は、観察対象物内に挿入する挿入部と、対象物内を撮像して得られた観察画像である内視鏡画像を表示する表示部を有する本体部とを備えて構成されたものが一般的である。
【０００３】
内視鏡は、医療分野および工業分野を問わず、湾曲部を備えて視野方向を可変して、所望の方向を正面視できるような構成が周知である。なお、特に、内視鏡は、工業分野においては、挿入部をボイラ、タービン、エンジンなどの被検体の内部に挿入して、内部の傷や腐食を観察、検査などするために使用される。
【０００４】
このような内視鏡は、例えば、特許文献１に開示されるように、挿入部の先端部に撮像装置が設けられた構成があり、先端部にプリズムなどの光学部品を配置して撮像装置の撮像素子を横向きにして、撮影光の入射方向を変更することで挿入部を細径化する内視鏡の技術が知られている。
【先行技術文献】
【特許文献】
【０００５】
【特許文献１】特開２０１７−１３１３８３号公報
【発明の概要】
【発明が解決しようとする課題】
【０００６】
ところで、特に、工業用の内視鏡は、挿入部を被検体へ挿入する過程において、先端部が管路壁、各種部品などにぶつかり衝撃が加えられる。
【０００７】
そのため、特許文献１の内視鏡では、プリズムのホルダに対する位置決め精度及び接合強度を高めることができるが、先端部に設けられるプリズムが損傷する虞があるという問題があった。
【０００８】
なお、プリズムを保持する固定枠の剛性を上げると、固定枠の体積、特に厚みを増やす必要があり、固定枠とプリズムの間にゴムなどの衝撃吸収部材を設けたりすると、そのためのスペースが必要になり、いずれも小径化が難しくなってしまい挿入部の先端部が大型化するという課題があった。
【０００９】
そこで、本発明は、上記事情に鑑みてなされたものであり、外部からの衝撃に対して内部の光学部品の損傷および挿入部の先端部分の大型化を防止する光学アダプタおよび内視鏡を提供することを目的とする。
【課題を解決するための手段】
【００１０】
本発明における一態様の光学アダプタは、内視鏡の挿入部の先端部に着脱自在な光学アダプタであって、被検体からの光が入射する方向を反射して変更する反射面を有するプリズムと、前記プリズムの前記反射面と前記反射面に交差する異なる面との角部以外を保持する保持部を有するプリズム保持部材と、を備えている。
【００１１】
本発明における一態様の内視鏡は、挿入部の先端部に着脱自在であって、被検体からの光が入射する方向を反射して変更する反射面を有するプリズムと、前記プリズムの前記反射面と前記反射面に交差する異なる面との角部以外を保持する保持部を有するプリズム保持部材と、を備えた光学アダプタを具備する。
【００１２】
本発明における他の態様の内視鏡は、挿入部の先端部に設けられ、被検体からの光が入射する方向を反射して変更する反射面を有するプリズムと、前記先端部に設けられ、前記プリズムの前記反射面と前記反射面に交差する異なる面との角部以外を保持する保持部を有するプリズム保持部材と、を備えている。
【発明の効果】
【００１３】
本発明によれば、外部からの衝撃に対して内部の光学部品の損傷および挿入部の先端部分の大型化を防止する光学アダプタおよび内視鏡を提供できる。
【図面の簡単な説明】
【００１４】
【図１】本発明の一実施の形態の内視鏡装置の外観構成図
【図２】同、光学アダプタの構成を示す斜視図
【図３】同、光学アダプタの部分的に断面を示した斜視図
【図４】同、プリズムとプリズムホルダの構成を示す分解斜視図
【図５】同、プリズムを保持したプリズムホルダの構成を示す斜視図
【図６】同、プリズムを保持したプリズムホルダの構成を示す上面図
【図７】同、プリズムを保持したプリズムホルダの構成を示す側面図
【図８】同、図６の円Ａの拡大図
【図９】同、変形例の図６の円Ａの拡大図
【図１０】同、第１の変形例の一態様に係り、プリズムを保持したプリズムホルダの構成を示す側面図
【図１１】同、第１の変形例の他の態様に係り、プリズムを保持したプリズムホルダの構成を示す側面図
【図１２】同、第２の変形例のプリズムを保持したプリズムホルダの構成を示す上面図
【図１３】同、第２の変形例のプリズムを保持したプリズムホルダの構成を示す側面図
【図１４】同、第３の変形例のプリズムを保持したプリズムホルダの構成を示す上面図
【図１５】同、第３の変形例のプリズムを保持したプリズムホルダの構成を示す側面図
【図１６】同、第３の変形例のプリズムを保持したプリズムホルダの構成を示す正面図
【図１７】同、第４の変形例のプリズムを保持したプリズムホルダの構成を示す上面図
【図１８】同、第４の変形例のプリズムを保持したプリズムホルダの構成を示す側面図
【図１９】同、第４の変形例のプリズムを保持したプリズムホルダの構成を示す正面図
【図２０】同、第５の変形例のプリズムを保持したプリズムホルダの構成を示す側面図
【図２１】同、第５の変形例のプリズムを保持したプリズムホルダの構成を示す正面図
【図２２】同、第６の変形例に係る、一態様の２つのプリズムが接合された接合プリズムを保持したプリズムホルダの構成を示す側面図
【図２３】同、第６の変形例に係る、他の態様の２つのプリズムが接合された接合プリズムを保持したプリズムホルダの構成を示す側面図
【発明を実施するための形態】
【００１５】
以下、本発明である光学アダプタおよび内視鏡について説明する。なお、以下の説明において、各実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。
【００１６】
（第１の実施形態）
まず、本発明の一実施形態の内視鏡装置の構成について説明する。  
図１は、本発明の一実施の形態の内視鏡装置の外観構成図、図２は光学アダプタの構成を示す斜視図、図３は光学アダプタの部分的に断面を示した斜視図、図４はプリズムとプリズムホルダの構成を示す分解斜視図、図５はプリズムを保持したプリズムホルダの構成を示す斜視図、図６はプリズムを保持したプリズムホルダの構成を示す上面図、図７はプリズムを保持したプリズムホルダの構成を示す側面図、図８は図６の円Ａの拡大図、図９は変形例の図６の円Ａの拡大図である。
【００１７】
図１に示すように、内視鏡装置１は、メインユニットである本体部２と、本体部２に接続される内視鏡としてのスコープユニット３とを含んで構成される。本体部２は、内視鏡画像、操作メニューなどが表示される表示装置としての液晶パネル（以下、ＬＣＤ（Ｌｉｑｕｉｄ  Ｃｒｙｓｔａｌ  Ｄｉｓｐｌａｙ）と略す）４を有する。ＬＣＤ４は、内視鏡画像を表示する表示部である。このＬＣＤ４には、タッチパネルが設けられていてもよい。
【００１８】
スコープユニット３は、操作部５と、操作部５と本体部２とを接続するユニバーサルケーブル６と、可撓性の挿入チューブからなる挿入部７とを有する。スコープユニット３は、ユニバーサルケーブル６を介して本体部２に着脱可能となっている。
【００１９】
挿入部７の先端部８には、図示しない撮像ユニットが内蔵されている。撮像ユニットは、例えばＣＣＤ（Ｃｈａｒｇｅ  Ｃｏｕｐｌｅｄ  Ｄｅｖｉｃｅ）センサ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサなどの撮像素子と、撮像素子の撮像面側に配置されたレンズなどの撮像光学系から構成される。先端部８の基端側には、湾曲部９が設けられている。
【００２０】
また、先端部８には、内視鏡用光学アダプタである光学アダプタ１０が取り付け可能になっている。操作部５には、フリーズボタン、記録指示ボタンなどの各種操作ボタンが設けられている。なお、スコープユニット３は、撮像素子を有していない、イメージガイドファイバーを備えた構成としてもよい。
【００２１】
ユーザは、操作部５の各種操作ボタンを操作して、被写体の撮像、動画記録、静止画記録等を行うことができる。また、ユーザは、上下左右（Ｕ/Ｄ/Ｌ/Ｒ）方向の湾曲ボタン５ａを操作して湾曲部９を所望の方向へ湾曲させることができる。
【００２２】
さらに、ＬＣＤ４にタッチパネルが設けられている構成の場合、ユーザは、タッチパネルを操作して、内視鏡装置１の種々の操作を指示することもできる。
【００２３】
撮像して得られた内視鏡画像の画像データは、検査対象の検査データであり、記録媒体であるメモリカード１１に記録される。メモリカード１１は、本体部２に対して着脱可能となっている。なお、画像データは、メモリカード１１に記録されるが、本体部２に内蔵された図示しないメモリに記録されるようにしてもよい。
【００２４】
スコープユニット３の挿入部７の先端部８には、光学アダプタ１０が着脱自在に装着される。図２および図３に示すように、この光学アダプタ１０は、先端が閉塞する外形が略円柱状のカバー部材を構成する枠体１２を備え、この枠体１２の基端側に回動自在に設けられたトメワ１３と、が設けられている。
【００２５】
枠体１２は、外周の一側部分に平面部１４が形成され、この平面部１４に照明窓を構成する照明光学部品としての照明レンズ１５と一面が観察窓を構成する光路変換部材である観察光学部品としてのプリズム１６が配設されている。
【００２６】
なお、枠体１２内には、プリズム１６を保持する硬質樹脂、金属などから形成された光学部品保持部材であるプリズムホルダ１７が嵌合されている。また、枠体１２内には、照明光を伝送するライトガイド１９が配設されている。
【００２７】
このライトガイド１９は、先端分部が湾曲形成され、照明光を出射する端面が照明レンズ１５の背面に対向配置されている。なお、プリズムホルダ１７は、孔部２１を有し、この孔部２１に対物光学系である複数の対物レンズ１８が配設されている。
【００２８】
このように、光学アダプタ１０は、トメワ１３を挿入部７の先端部８に螺着して装着することで、スコープユニット３の視野方向を側視方向または斜視方向に変換する光路変換アダプタを構成している。なお、トメワ１３は、外周に軸方向に沿った複数の溝が形成されており、滑り止めとなる凹凸が形成されている。
【００２９】
ここで、プリズム１６と、このプリズム１６を保持するプリズムホルダ１７の構成について詳しく説明する。  
ここでのプリズム１６は、図４および図５に示すように、光学アダプタ１０の先端側に向けて配置され、撮影光路を変換する、ここでは４５°の斜面である反射面３１と、被検対象からの戻り光である撮影光が入射する入射面の観察窓となる上面３２と、反射面３１により光路が変換された撮影光が通過する基端面３４と、２つの側面３３と、を有する透明なガラスなどから形成された三角プリズムである。
【００３０】
なお、プリズム１６は、三角プリズムに限定されることなく、ダハプリズム、ペンタプリズムなど種々のプリズム構成でもよい。
【００３１】
プリズムホルダ１７は、複数の対物レンズ１８が配設された孔部２１の開口が設けられた先端面２２と、この先端面２２の両側部分から先端側に突起形成され、プリズム１６を保持する凸部状の保持部である２つの保持凸部２３と、を有している。
【００３２】
なお、各保持凸部２３は、互いが対向する内側面である保持面である矩形状の平面２４が形成されている。
【００３３】
プリズム１６は、プリズムホルダ１７の先端面２２に基端面３４が対向して当接して、プリズムホルダ１７の２つの保持凸部２３に挟まれた状態で配設される。
【００３４】
具体的には、図６から図８に示すように、プリズム１６は、プリズムホルダ１７の各保持凸部２３のそれぞれの平面２４がプリズム１６の側面３３に当接して面接触するようにプリズムホルダ１７に装着される。このとき、プリズム１６は、プリズム１６の基端面３４がプリズムホルダ１７の先端面２２に当接するようにプリズムホルダ１７に固定される。
【００３５】
この状態において、プリズムホルダ１７の各保持凸部２３は、それぞれがプリズム１６の上面３２から所定の距離ｄ１を有して離間するようにプリズム１６の側面３３に接触して保持する。
【００３６】
さらに、プリズムホルダ１７の各保持凸部２３は、それぞれがプリズム１６の反射面３１から所定の距離ｄ２を有して離間するようにプリズム１６の側面３３に接触して保持する。
【００３７】
即ち、各保持凸部２３は、それぞれがプリズム１６の上面３２と側面３３とが交差する角部（エッジ）の稜線Ｃ１を含まない側面３３を保持すると共に、プリズム１６の側面３３と反射面３１とが交差する角部（エッジ）の稜線Ｃ２を含まない側面３３を保持する平面２４を有する凸部形状が設定されている。
【００３８】
換言すると、図８に示すように、各保持凸部２３の平面２４は、それぞれがプリズム１６の上面３２と側面３３とが交差する角部（エッジ）の稜線Ｃ１およびプリズム１６の側面３３と反射面３１とが交差する角部（エッジ）の稜線Ｃ２と重ならないプリズム１６の側面３３の領域に、接触して保持する。
【００３９】
なお、保持の方法としては摩擦でもよいし、図９に示すように、プリズムホルダ１７の各保持凸部２３の平面２４とプリズム１６の側面３３とが対向する平面間に若干の隙間を設け、この隙間に硬質な接着剤などの接着部によってプリズムホルダ１７の各保持凸部２３の平面２４とプリズム１６の側面３３とを固着してもよい。また、プリズム１６とプリズムホルダ１７は、接着剤に限ることなく、半田付により互いを固定してもよい。
【００４０】
さらに、上記隙間にエポキシ・変性シリコーン樹脂系弾性接着剤などのエンジニアリングプラスチック材料を用いた弾性接着部としての弾性接着剤３８を充填して所定の厚さを有して固化させた構成としてもよい。
【００４１】
ところで、光学アダプタ１０は、プリズム１６に用いられる素材が特に脆性材料のガラスである場合、プリズム１６自体が脆性部材となるため、ある値以上の荷重を受けると塑性変形せずに一気に破壊に至ってしまう。
【００４２】
また、ガラスなどの脆性材料の特徴としては、許容応力がガラス面内、即ちプリズム１６の上面３２、側面３３および反射面３１よりも角部（エッジ）である上記稜線Ｃ１，Ｃ２のほうが小さい。
【００４３】
そのため、プリズム１６の角部（エッジ）をプリズムホルダ１７の各保持凸部２３で覆うように接触して固定すると、光学アダプタ１０が衝撃荷重を外部から受けると、プリズムホルダ１７が変形し、各保持凸部２３と接するプリズム１６の角部（エッジ）に応力が集中して、プリズム１６が損傷して割れ易くなってしまう。
【００４４】
即ち、光学アダプタ１０に衝撃などの瞬間的な強い力が加わると、衝撃が与えられた位置から衝撃力が伝播し、プリズムホルダ１７からプリズム１６へと衝撃力が伝わっていく。このプリズム１６に伝わる力は、プリズムホルダ１７の各保持凸部２３が接触するプリズム１６の角部（エッジ部）に応力が集中し易い。
【００４５】
これに対して、本実施の形態の光学アダプタ１０は、プリズムホルダ１７の各保持凸部２３がプリズム１６の側面３３に対する上面３２および反射面３１の角部（エッジ）に接触しない構成であり、プリズム１６の角部（エッジ）に衝撃の応力が集中することを抑制できる。
【００４６】
なお、光学アダプタ１０は、特に被検対象からの戻り光である撮影光を反射するプリズム１６の側面３３と反射面３１の稜線Ｃ２で示した角部（エッジ）が損傷すると、取得画像に影響を及ぼすため、この角部（エッジ）の損傷を抑制する必要がある。
【００４７】
このように、特に、工業用の内視鏡であるスコープユニット３は、挿入部７を被検体への挿入する過程において、先端部８に取り付けられた光学アダプタ１０が管路壁、各種部品などにぶつかり衝撃が加えられても、プリズム１６が損傷することが防止される。
【００４８】
さらに、光学アダプタ１０は、固定枠であるプリズムホルダ１７の各保持凸部２３の剛性を上げなくとも、プリズム１６の損傷を防止できるため、プリズムホルダ１７の体積、特に厚みを増やす必要もなく、大型化することもない。以上の説明から、光学アダプタ１０は、外部からの衝撃に対して内部の光学部品であるプリズム１６の損傷を防止できる構成となる。
【００４９】
なお、上述の説明では、光学アダプタ１０に光学部品であるプリズム１６が設けられた構成を例示したが、挿入部７の先端部８にプリズム１６が内蔵される側視型または斜視型のスコープユニット３にも適用できる構成である。このスコープユニット３では、プリズム１６の損傷を防止できると共に、挿入部７の先端部分の大型化も防止できる構成となる。
【００５０】
（変形例）
なお、上記のプリズムホルダ１７の構成は、一例であり、以下の種々の変形例に示す構成としてもよい。
【００５１】
（第１の変形例）
図１０は、第１の変形例の一態様に係り、プリズムを保持したプリズムホルダの構成を示す側面図、図１１は第１の変形例の他の態様に係り、プリズムを保持したプリズムホルダの構成を示す側面図である。
【００５２】
プリズムホルダ１７の各保持凸部２３は、プリズム１６の側面３３に接触または対向する上記平面２４が矩形状として例示したが、これに限定されることなく、図１０に示す、プリズム１６の側面３３に相似した表面積を小さくした三角形状、図１１に示す、突出端が円弧状などとして、平面２４の面積が大きくなるような形状としてもよい。これらの各保持凸部２３とすることで、プリズム１６を保持する保持力をより大きくすることができる。
【００５３】
（第２の変形例）
図１２は、第２の変形例のプリズムを保持したプリズムホルダの構成を示す上面図、図１３は第２の変形例のプリズムを保持したプリズムホルダの構成を示す側面図である。  
図１２および図１３に示すように、プリズムホルダ１７は、先端面２２と各保持凸部２３の平面部２４が交差する角部分に非接触部となる溝部２５を形成して、プリズム１６の側面３３と基端面３４が交差する角部（エッジ）の稜線Ｃ３と接触しないようにしてもよい。
【００５４】
なお、ここでの溝部２５は、断面が矩形状としているが、断面円形などでもよく、プリズム１６の角部（エッジ）の上記稜線Ｃ３がプリズムホルダ１７に接触しなければ如何なる断面形状であってもよい。
【００５５】
このように、プリズム１６の基端面３４とプリズムホルダ１７の先端面２２が当接する当て付け面のプリズム１６の角部（エッジ）もプリズムホルダ１７と接触しなくなることで、プリズム１６の基端側の角部（エッジ）への応力集中も抑制することができる。
【００５６】
即ち、プリズムホルダ１７は、プリズム１６の全ての角部（エッジ）と接触しない構成であり、プリズム１６が外部からの衝撃による損傷がより防止される。
【００５７】
（第３の変形例）
図１４は、第３の変形例のプリズムを保持したプリズムホルダの構成を示す上面図、図１５は第３の変形例のプリズムを保持したプリズムホルダの構成を示す側面図、図１６は第３の変形例のプリズムを保持したプリズムホルダの構成を示す正面図である。
【００５８】
図１４から図１６に示すように、第２の変形例の構成に加え、プリズムホルダ１７の各保持凸部２３は、上部の面がプリズム１６の上面３２と同じ面位置を有し、プリズム１６の斜面３１にオーバーラップする形状として、プリズム１６の角部（エッジ）に接触しない非接触部となる溝部４１，４２が上記稜線Ｃ１，Ｃ２に沿って所定の距離を有して対向して形成された段部を有した構成としてもよい。なお、この段差の形状は、複数の平面を有した形状であってもよいし、連続して前記所定の距離が変化するテーパ形状であってもよい。
【００５９】
このようにプリズムホルダ１７は、第２の変形例の構成と同様に、プリズム１６の全ての角部（エッジ）と接触することなく、プリズム１６が外部からの衝撃による損傷がより防止されると共に、各保持凸部２３の平面２４の面積が大きくなり、各保持凸部２３によるプリズム１６の保持力を向上させることができる。
【００６０】
なお、ここでの各保持凸部２３は、上面２３ａを有しており、この上面２３ａとプリズム１６の上面３２とが同じ面内位置となるように設定してもよい。
【００６１】
このように、各保持凸部２３の上面２３ａとプリズム１６の上面３２とが同じ面内位置となるように設定することで、プリズム１６をプリズムホルダ１７に固定する上下方向の位置決めが容易に行え、プリズムホルダ１７へのプリズム１６の組み付性も向上させることができる。
【００６２】
（第４の変形例）
図１７は、第４の変形例のプリズムを保持したプリズムホルダの構成を示す上面図、図１８は第４の変形例のプリズムを保持したプリズムホルダの構成を示す側面図、図１９は第４の変形例のプリズムを保持したプリズムホルダの構成を示す正面図である。
【００６３】
図１７から図１９に示すように、第３の変形例の構成に加え、プリズム１６の側面３３に対してプリズムホルダ１７の各保持凸部２３の溝部４１，４２の段差部によって形成される凹部状の空間にエポキシ・変性シリコーン樹脂系弾性接着剤などのエンジニアリングプラスチック材料を用いた弾性接着部としての弾性接着剤４３を充填してもよい。
【００６４】
この弾性接着剤４３は、プリズム１６の側面３３を保持するとともに、プリズム１６の角部（エッジ）と接触するが、衝撃を受けたときには、その弾性により衝撃を吸収して角部（エッジ）に応力が集中することを抑制することができる。
【００６５】
なお、プリズムホルダ１７へプリズム１６の組み付時、各保持凸部２３と側面３３の間には接着剤を使用せず、プリズム１６をプリズムホルダ１７に位置決めした後に、側面３３と溝部４１，４２によって形成される凹部状の空間に弾性接着剤４３を注入してプリズム１６をプリズムホルダ１７に固定することができる。
【００６６】
また、プリズム１６をプリズムホルダ１７に位置決めして、各保持凸部２３と側面３３を硬質接着剤で固定した後に、側面３３と溝部４１，４２によって形成される凹部状の空間に弾性接着剤４３を注入してプリズム１６とプリズムホルダ１７との接着強度を高めた構成としてもよい。
【００６７】
（第５の変形例）
図２０は、第５の変形例のプリズムを保持したプリズムホルダの構成を示す側面図、図２１は第５の変形例のプリズムを保持したプリズムホルダの構成を示す正面図である。
【００６８】
図２０および図２１に示すように、第３の変形例の構成に加え、プリズム１６の反射面３１を超えて延出するプリズムホルダ１７の各保持凸部２３を連結する補強部材であるステー４５を設けてもよい。なお、ステー４５は、各保持凸部２３に対して別体でも一体形成された構成としてもよい。
【００６９】
プリズム１６の反射面３１よりも先端側でプリズムホルダ１７の各保持凸部２３を接続する補強部材であるステー４５を架設することで、衝撃が加わった際の各保持凸部２３の変形を抑制することができる。これにより、プリズムホルダ１７の各保持凸部２３の剛性が高くなり、プリズム１６への衝撃の応力集中を緩和することができる。
【００７０】
（第６の変形例）
図２２は、第６の変形例に係る、一態様の２つのプリズムが接合された接合プリズムを保持したプリズムホルダの構成を示す側面図、図２３は第６の変形例に係る、他の態様の２つのプリズムが接合された接合プリズムを保持したプリズムホルダの構成を示す正面図である。  
図２２に示すように、プリズム１６に加え、補強用として他のプリズム３５をプリズム１６の反射面３１に接合した接合プリズムとしてもよい。
【００７１】
なお、図２３に示すように、プリズムホルダ１７の各保持凸部２３は、２つのプリズム１６，３５の接合面となる反射面３１よりも先端側に延設して、プリズム３５の側面３６に平面２４が接着される構成としてもよい。
【００７２】
また、各保持凸部２３は、２つのプリズム１６，３５の接合面となる反射面３１に接触しないように、この反射面３１に沿った平面２４に凹部状の非接触部となる溝部２７を形成して段差を設けて、接合部には接触させない形状としてもよい。このような構成とすることで、２つのプリズム１６，３５の接合部の剥離を防止できると共に、反射面３１が位置する２つのプリズム１６，３５の接合面への衝撃の応力集中を抑制することができる。
【００７３】
上述の実施の形態に記載した発明は、その実施の形態および変形例に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得るものである。
【００７４】
例えば、実施の形態に示される全構成要件から幾つかの構成要件が削除されても、述べられている課題が解決でき、述べられている効果が得られる場合には、この構成要件が削除された構成が発明として抽出され得るものである。
【符号の説明】
【００７５】
１…内視鏡装置
２…本体部
３…スコープユニット
５…操作部
５ａ…湾曲ボタン
６…ユニバーサルケーブル
７…挿入部
８…先端部
９…湾曲部
１０…光学アダプタ
１１…メモリカード
１２…枠体
１３…トメワ
１４…平面部
１５…照明レンズ
１６…プリズム
１７…プリズムホルダ
１８…対物レンズ
１９…ライトガイド
２１…孔部
２２…先端面
２３…保持凸部
２４…平面
３１…反射面
３２…上面
３３…側面
３４…基端面
Ｃ１，Ｃ１，Ｃ２…角部（エッジ）の稜線
ｄ１，ｄ２…所定の距離
【図１】
2019191424.tif 000003
【図２】
2019191424.tif 000004
【図３】
2019191424.tif 000005
【図４】
2019191424.tif 000006
【図５】
2019191424.tif 000007
【図６】
2019191424.tif 000008
【図７】
2019191424.tif 000009
【図８】
2019191424.tif 000010
【図９】
2019191424.tif 000011
【図１０】
2019191424.tif 000012
【図１１】
2019191424.tif 000013
【図１２】
2019191424.tif 000014
【図１３】
2019191424.tif 000015
【図１４】
2019191424.tif 000016
【図１５】
2019191424.tif 000017
【図１６】
2019191424.tif 000018
【図１７】
2019191424.tif 000019
【図１８】
2019191424.tif 000020
【図１９】
2019191424.tif 000021
【図２０】
2019191424.tif 000022
【図２１】
2019191424.tif 000023
【図２２】
2019191424.tif 000024
【図２３】
2019191424.tif 000025